(57)【要約】【課題】作業時間の増加を抑えつつカバー部材及びエンドキャップを容易に取付可能な光源ユニット及びそれを用いた照明器具を提供する。【解決手段】カバー部材２３は、幅方向における両端から取付部材２１側に延出する第１脚部２３３及び第２脚部２３４を有する。取付部材２１は、底面部２１１と、底面部２１１の幅方向における両端から延出する第１側面部２１２及び第２側面部２１３とで構成される。第１側面部２１２の長手方向における両端には一対の第１かしめ片２１２ｂが設けられ、第２側面部２１３の長手方向における両端には一対の第２かしめ片２１３ｂが設けられている。そして、カバー部材２３を取付部材２１に取り付けた状態では、一対の第１かしめ片２１２ｂと第１側面部２１２の間で第１脚部２３３が挟持され、且つ、一対の第２かしめ片２１３ｂと第２側面部２１３の間で第２脚部２３４が挟持される。【選択図】図１
2014179207.tif 000002
【特許請求の範囲】
【請求項１】
長尺状に形成され発光素子を実装した基板が取り付けられる取付部材と、
前記取付部材の長手方向と同方向を長手方向とし且つ前記取付部材の幅方向と同方向を幅方向とした状態で前記発光素子を覆うようにして前記取付部材に取り付けられるカバー部材とを備え、
前記カバー部材は、幅方向における両側から前記取付部材側に延出する第１脚部及び第２脚部を有し、
前記取付部材は、長尺且つ矩形板状に形成された底面部と、前記底面部の幅方向における両端から前記底面部と交差する方向に延出する第１側面部及び第２側面部とで形成され、前記第１側面部には、長手方向における両端から長手方向に沿ってそれぞれ延出する一対の第１かしめ片が設けられ、前記第２側面部には、長手方向における両端から長手方向に沿ってそれぞれ延出する一対の第２かしめ片が設けられ、
前記カバー部材を前記取付部材に取り付けた状態では、幅方向において前記第１脚部が前記第１側面部と対向し且つ前記第２脚部が前記第２側面部と対向しており、前記第１脚部側に折り曲げられた前記一対の第１かしめ片と前記第１側面部の間で前記第１脚部が挟持され且つ前記第２脚部側に折り曲げられた前記一対の第２かしめ片と前記第２側面部の間で前記第２脚部が挟持されることを特徴とする光源ユニット。
【請求項２】
前記カバー部材の長手方向における両端にそれぞれ取り付けられる一対のエンドキャップを備え、
前記各エンドキャップは、前記カバー部材側に延出する延出片を有し、
前記カバー部材は、前記エンドキャップが組み付けられた状態において前記延出片に接触することで前記エンドキャップを支持する支持片を有していることを特徴とする請求項１記載の光源ユニット。
【請求項３】
前記取付部材は、前記底面部の長手方向における端部から前記底面部と交差する方向に延出し前記エンドキャップが前記カバー部材から外れる方向へ移動した際に当接する抜け止め片を有していることを特徴とする請求項２記載の光源ユニット。
【請求項４】
前記エンドキャップは、前記取付部材側及び前記カバー部材と反対側が開放する段差部を有し、
前記エンドキャップを前記カバー部材に取り付けた状態では前記抜け止め片が前記段差部に配置されることを特徴とする請求項３記載の光源ユニット。
【請求項５】
請求項１〜４の何れか１項に記載の光源ユニットを備えることを特徴とする照明器具。
【発明の詳細な説明】
【技術分野】
【０００１】
本発明は、光源ユニット及びそれを用いた照明器具に関するものである。
【背景技術】
【０００２】
従来より、天井に取り付けられる天井直付け型の照明器具が提供されている（例えば特許文献１参照）。この照明器具は、吊ボルトを用いて天井に直付けされる器具本体と、器具本体に対して着脱自在に取り付けられる光源部とを備える。また、光源部は、横長且つ長尺状に形成された取付部材と、複数の発光素子が実装され取付部材の下面に取り付けられる基板と、上記複数の発光素子を覆うようにして取付部材に取り付けられるカバー部材とを具備する。
【０００３】
取付部材は、長尺且つ矩形板状に形成された底面部と、底面部の幅方向における両端から底面部と直交する方向に延出する一対の側面部とでＵ字状に形成され、各側面部には側方に延出する切り起こし片が設けられている。また、カバー部材は、長尺且つ半円筒状に形成され、開放端側の内側面には各切り起こし片がそれぞれ嵌合する一対の嵌合溝が設けられている。
【０００４】
そして、各切り起こし片と対応する嵌合溝の位置をそれぞれ合わせた状態で、取付部材に対して長手方向からカバー部材をスライドさせていき、各切り起こし片を対応する嵌合溝にそれぞれ嵌合させることで、カバー部材が取付部材に取り付けられる。
【先行技術文献】
【特許文献】
【０００５】
【特許文献１】特開２０１２−３９９３号公報
【発明の概要】
【発明が解決しようとする課題】
【０００６】
上述の特許文献１に示した照明器具では、切り起こし片が嵌合溝に嵌合することでカバー部材の幅方向への移動は規制できるものの、長手方向においてはカバー部材がスライド自在となっていることから、カバー部材の長手方向への移動は規制できなかった。
【０００７】
そこで、カバー部材の長手方向への移動を規制するために、ねじを用いてカバー部材を取付部材に固定する方法が考えられるが、この場合には複数個のねじを固定する作業が必要であり、そのため作業時間がかかるという問題があった。
【０００８】
また、カバー部材の長手方向における両端部には、カバー部材の開口を閉塞するためにエンドキャップが取り付けられるが、このエンドキャップをカバー部材に取り付ける際には接着剤を用いるのが一般的である。そのため、接着剤をエンドキャップに塗り付ける作業が必要であり、作業時間がかかるという問題があった。
【０００９】
本発明は上記問題点に鑑みて為されたものであり、その目的とするところは、作業時間の増加を抑えつつカバー部材及びエンドキャップを容易に取付可能な光源ユニット及びそれを用いた照明器具を提供することにある。
【課題を解決するための手段】
【００１０】
本発明の光源ユニットは、長尺状に形成され発光素子を実装した基板が取り付けられる取付部材と、取付部材の長手方向と同方向を長手方向とし且つ取付部材の幅方向と同方向を幅方向とした状態で発光素子を覆うようにして取付部材に取り付けられるカバー部材とを備え、カバー部材は、幅方向における両側から取付部材側に延出する第１脚部及び第２脚部を有し、取付部材は、長尺且つ矩形板状に形成された底面部と、底面部の幅方向における両端から底面部と交差する方向に延出する第１側面部及び第２側面部とで形成され、第１側面部には、長手方向における両端から長手方向に沿ってそれぞれ延出する一対の第１かしめ片が設けられ、第２側面部には、長手方向における両端から長手方向に沿ってそれぞれ延出する一対の第２かしめ片が設けられ、カバー部材を取付部材に取り付けた状態では、幅方向において第１脚部が第１側面部と対向し且つ第２脚部が第２側面部と対向しており、第１脚部側に折り曲げられた一対の第１かしめ片と第１側面部の間で第１脚部が挟持され且つ第２脚部側に折り曲げられた一対の第２かしめ片と第２側面部の間で第２脚部が挟持されることを特徴とする。
【００１１】
この光源ユニットにおいて、カバー部材の長手方向における両端にそれぞれ取り付けられる一対のエンドキャップを備え、各エンドキャップは、カバー部材側に延出する延出片を有し、カバー部材は、エンドキャップが組み付けられた状態において延出片に接触することでエンドキャップを支持する支持片を有しているのが好ましい。
【００１２】
また、この光源ユニットにおいて、取付部材は、前記底面部の長手方向における端部から前記底面部と交差する方向に延出し前記エンドキャップが前記カバー部材から外れる方向へ移動した際に当接する抜け止め片を有しているのも好ましい。
【００１３】
さらに、この光源ユニットにおいて、エンドキャップは、取付部材側及びカバー部材と反対側が開放する段差部を有し、エンドキャップをカバー部材に取り付けた状態では抜け止め片が段差部に配置されるのも好ましい。
【００１４】
本発明の照明器具は、上記の光源ユニットを備えることを特徴とする。
【発明の効果】
【００１５】
本発明の構成によれば、カバー部材を取付部材に取り付けた状態では、一対の第１かしめ片と第１側面部の間で第１脚部が挟持され且つ一対の第２かしめ片と第２側面部の間で第２脚部が挟持されるので、カバー部材の長手方向への移動を規制することができる。しかも、第１かしめ片を第１脚部側に、第２かしめ片を第２脚部側にそれぞれ折り曲げるだけでいいので、作業時間の増加を抑えつつカバー部材を取付部材に容易に取り付けることができる。
【図面の簡単な説明】
【００１６】
【図１】本実施形態の照明器具に用いられる光源ユニットを示し、（ａ）は一部省略せる斜視図、（ｂ）は一部省略せる分解斜視図である。
【図２】同上に用いられる光源ユニットを示し、（ａ）は一部破断せる斜視図、（ｂ）は一部省略せる断面図である。
【図３】同上の分解斜視図である。
【図４】同上の外観斜視図である。
【図５】同上の断面図である。
【発明を実施するための形態】
【００１７】
以下に、光源ユニット及び照明器具の実施形態について図１〜図５を参照しながら説明する。なお、以下の説明では特に断りがない限り、図５に示す向きにおいて上下左右の方向を規定し、さらに図５中の紙面に垂直な方向を前後方向（手前側が前側）と規定して説明を行う。
【００１８】
本実施形態の照明器具Ａは、図５に示すように天井直付け型の照明器具であり、吊ボルト２００を用いて天井材１００に取り付けられる器具本体１と、器具本体１に対して着脱自在に取り付けられる光源ユニット２とを備える。
【００１９】
器具本体１は、板金に曲げ加工を施すことで長尺且つ上面（天井材１００との対向面）が開口する扁平な箱状に形成され、天井材１００と反対側（下側）には光源ユニット２を収容するための矩形の凹部１１が全長に亘って設けられている（図３参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている（図５参照）。
【００２０】
また、凹部１１の底面部１１１には、電線を通すための孔１１１ａが前後方向（長手方向）に沿って複数（図３では５個）設けられており、さらに吊ボルト２００を通すための孔１１１ｂが前後方向における両端寄りにそれぞれ２個ずつ設けられている。また、凹部１１の底面部１１１には端子台（図示せず）が取り付けられており、端子台と後述する電源装置２４の間が電線により接続されている。
【００２１】
光源ユニット２は、図３に示すように、複数（図３では２個）の基板２２と、基板２２が取り付けられる取付部材２１と、基板２２を覆うようにして取付部材２１に取り付けられるカバー部材２３とを具備する。また、光源ユニット２は、基板２２に所定の点灯電力を供給する電源装置２４と、カバー部材２３の長手方向における両端にそれぞれ取り付けられる一対のエンドキャップ２５とを具備する。
【００２２】
基板２２は、前後方向に長い矩形板状に形成されたプリント基板２２１からなり、プリント基板２２１の下面には複数のＬＥＤ２２２（発光素子）が前後方向（長手方向）に沿って実装されている。また、一方（図３中の右側）の基板２２の前端部（図３中の右端部）には、電源装置２４との間を電気的に接続するためのコネクタ２２３が実装されている。このコネクタ２２３には電線（図示せず）が接続されており、この電線の端部を電源装置２４に接続することで基板２２と電源装置２４とが電気的に接続される。
【００２３】
また、各基板２２において隣接する基板２２と対向する端部には、電源供給用のコネクタ２２４が実装されている。そして、両基板２２，２２のコネクタ２２４，２２４を接続することで、一方（図３中の右側）の基板２２から他方（図３中の左側）の基板２２へ点灯電力を供給することができる。
【００２４】
取付部材２１は、板金に曲げ加工を施すことでＵ字状に形成され、長尺且つ矩形板状に形成された底面部２１１と、底面部２１１の左右方向（幅方向）における両端から上向きに延出する第１側面部２１２及び第２側面部２１３とで構成される。
【００２５】
第１側面部２１２の先端には、側方（図５中の右側）へ突出する突部２１２ａが全長に亘って設けられ、さらに第１側面部２１２の前後方向（長手方向）における両端には、前後方向に沿ってそれぞれ延出する一対の第１かしめ片２１２ｂが設けられている。また、第２側面部２１３の先端には、側方（図５中の左側）へ突出する突部２１３ａが全長に亘って設けられ、さらに第２側面部２１３の前後方向における両端には、前後方向に沿ってそれぞれ延出する一対の第２かしめ片２１３ｂが設けられている。
【００２６】
底面部２１１の前端部（図３中の右端部）には、基板２２と電源装置２４の間を電気的に接続する上記電線を通すための孔２１１ａが設けられている。また、底面部２１１の前後方向における中央部には、底面部２１１の一部を上向きに突出させることで形成された矩形の凹部２１１ｂが設けられている。この凹部２１１ｂは、両基板２２，２２を取付部材２１に取り付けた状態で、コネクタ２２４と取付部材２１の底面部２１１との間の絶縁距離を確保するためのものである。
【００２７】
さらに、底面部２１１の前後方向（長手方向）における両端には、前後方向に沿って延出する矩形板状の抜け止め片２１１ｃ（図１（ｂ）では片側のみ図示）がそれぞれ設けられている。これらの抜け止め片２１１ｃは、下向き（カバー部材２３側）に折り曲げられることでエンドキャップ２５の抜け止めとして機能する。なお、上述した基板２２は、例えば取付部材２１の底面部２１１の一部を切り起こすことで形成された係止爪（図示せず）により取付部材２１に固定される。
【００２８】
カバー部材２３は、拡散性を有する材料（例えば乳白色のアクリル樹脂）により上面（取付部材２１側の面）が開口する長尺状に形成されている。また、カバー部材２３は、左右方向（幅方向）において両端側から中央側に行くほど下側への突出量が大きくなるような凸レンズ形状の拡散面２３１を有している（図５参照）。さらに、カバー部材２３の左右方向における両端部には、図５に示すように、光源ユニット２を器具本体１に取り付けた状態で、上下方向において器具本体１の凹部１１の開口端縁と重なる延出部２３２がそれぞれ設けられている。
【００２９】
また、カバー部材２３の左右方向において各延出部２３２の内側には、上向き（取付部材２１側）に延出する第１脚部２３３及び第２脚部２３４がそれぞれ全長に亘って設けられている。また、第１脚部２３３の先端には、第２脚部２３４側に延出する引掛片２３３ａが設けられ、さらに第１脚部２３３の内側面（第２脚部２３４との対向面）には、第２脚部２３４側（左向き）に延出する支持片２３３ｂが設けられている。また、第２脚部２３４の先端には、第１脚部２３３側に延出する引掛片２３４ａが設けられ、さらに第２脚部２３４の内側面（第１脚部２３３との対向面）には、第１脚部２３３側（右向き）に延出する支持片２３４ｂが設けられている。
【００３０】
電源装置２４は、電源基板２４１と、電源基板２４１を収納するための収納ケース２４２とを有する。電源基板２４１は、前後方向に長い矩形板状に形成されたプリント基板２４１ａからなり、プリント基板２４１ａには、少なくともＬＥＤ２２２の点灯電力を生成するための回路部品（例えばトランスやダイオード、コンデンサなど）２４１ｂが実装されている。
【００３１】
収納ケース２４２は、図３に示すように、一面（取付部材２１の底面部２１１との対向面）が開口し且つ前後方向に長い矩形箱状に形成されている。この収納ケース２４２は、開口側が取付部材２１の底面部２１１と対向するようにして、例えばねじなどを用いて取付部材２１の側面部２１２に取り付けられる。
【００３２】
エンドキャップ２５は、図１（ｂ）に示すように、厚みの薄い半円状に形成されたキャップ本体２５１を有し、キャップ本体２５１の一面（カバー部材２３側の面）には、キャップ本体２５１の下面に沿って円弧状に突出する突条部２５２が設けられている。また、キャップ本体２５１の一面には、カバー部材２３側に延出する延出片２５３が左右方向（幅方向）における両端寄りにそれぞれ設けられている（図１（ｂ）では片側の延出片２５３のみ図示）。さらに、エンドキャップ２５の上部には、上側（取付部材２１側）及び前側（カバー部材２３と反対側）が開放する段差部２５４（図２（ｂ）参照）が設けられている。
【００３３】
ここで、取付部材２１に対してカバー部材２３を下側から組み付けると、第１脚部２３３の引掛部２３３ａが第１側面部２１２の突部２１２ａと係合し、さらに第２脚部２３４の引掛部２３４ａが第２側面部２１３の突部２１３ａと係合する。また、この状態では、左右方向において、第１脚部２３３が第１側面部２１２と対向し、第２脚部２３４が第２側面部２１３と対向する（図５参照）。
【００３４】
引掛部２３３ａ，２３４ａ及び突部２１２ａ，２１３ａのみでカバー部材２３を取付部材２１に取り付けた場合、前後方向（長手方向）においてはカバー部材２３がスライド自在となっているため、このままではカバー部材２３の移動を規制できない。
【００３５】
そこで、本実施形態では、第１側面部２１２の両第１かしめ片２１２ｂ，２１２ｂを第１脚部２３３側（図１（ａ）中の右側）に折り曲げ、両第１かしめ片２１２ｂ，２１２ｂと第１側面部２１２の間で第１脚部２３３を挟持させている。また、第２側面部２１３の両第２かしめ片２１３ｂ，２１３ｂを第２脚部２３４側（図１（ａ）中の左側）に折り曲げ、両第２かしめ片２１３ｂ，２１３ｂと第２側面部２１３の間で第２脚部２３４を挟持させている。これにより、カバー部材２３の前後方向への移動を規制している。
【００３６】
また、カバー部材２３の前後方向（長手方向）における両端には、エンドキャップ２５がそれぞれ取り付けられる。エンドキャップ２５をカバー部材２３に取り付けた状態では、図２（ａ）及び図２（ｂ）に示すように、エンドキャップ２５の延出片２５３がカバー部材２３の支持片２３３ｂ（又は支持片２３４ｂ）に接触する。また、図２（ｂ）に示すように、エンドキャップ２５の突条部２５２がカバー部材２３の拡散面２３１の内周面に接触する。そして、エンドキャップ２５は、延出片２５３と支持片２３３ｂ（又は支持片２３４ｂ）の間の摩擦力、及び、突条部２５２と拡散面２３１の内周面の間の摩擦力によってカバー部材２３に支持される。
【００３７】
さらに、エンドキャップ２５をカバー部材２３に取り付けた後、取付部材２１の抜け止め片２１１ｃを下向き（カバー部材２３側）に折り曲げると、抜け止め片２１１ｃがエンドキャップ２５の段差部２５４に配置される。そして、例えばエンドキャップ２５がカバー部材２３から外れる方向（図２（ｂ）中の右方向）に移動した場合には、抜け止め片２１１ｃが段差部２５４の側面に当接し、これによりエンドキャップ２５の抜けが防止される。
【００３８】
ここに、図２（ｂ）中のＬ１は折り曲げた後の第１かしめ片２１２ｂの長さ寸法であり、Ｌ２はカバー部材２３の前後方向における伸び代である。また、図２（ｂ）中のＬ３は延出片２５３の長さ寸法であり、Ｌ４は前後方向における第１かしめ片２１２ｂとカバー部材２３の被り代である。
【００３９】
カバー部材２３の伸び代Ｌ２は、温度上昇に伴うカバー部材２３の膨張寸法よりも大きく設定するのが望ましい。また、第１かしめ片２１２ｂの長さ寸法Ｌ１は、カバー部材２３の伸び代Ｌ２と温度低下に伴うカバー部材２３の収縮寸法の総和よりも大きく設定するのが望ましい。さらに、第１かしめ片２１２ｂとカバー部材２３の被り代Ｌ４は、カバー部材２３の伸び代Ｌ２よりも大きく且つ延出片２５３の長さ寸法Ｌ３よりも小さいのが望ましい。
【００４０】
次に、光源ユニット２の組立手順について説明する。まず最初に、作業者は、電源装置２４を取付部材２１の底面部２１１の上面側に取り付け、さらに上記係止爪により２枚の基板２２，２２を取付部材２１の底面部２１１に固定する。その後、作業者は、基板２２のコネクタ２２３から導出する電線を取付部材２１の底面部２１１に設けた孔２１１ａに通し、その端部を電源装置２４に接続する。
【００４１】
次に、作業者は、開口側を上向きにした状態でカバー部材２３を取付部材２１に組み付ける。このとき、第１脚部２３３の引掛部２３３ａが第１側面部２１２の突部２１２ａと係合し、さらに第２脚部２３４の引掛部２３４ａが第２側面部２１３の突部２１３ａと係合する。
【００４２】
その後、作業者は、両第１かしめ片２１２ｂ，２１２ｂを第１脚部２３３側に折り曲げて、両第１かしめ片２１２ｂ，２１２ｂと第１側面部２１２の間で第１脚部２３３を挟持させる。また、作業者は、両第２かしめ片２１３ｂ，２１３ｂを第２脚部２３４側に折り曲げて、両第２かしめ片２１３ｂ，２１３ｂと第２側面部２１３の間で第２脚部２３４を挟持させる。
【００４３】
そして最後に、作業者は、エンドキャップ２５，２５を前後方向からカバー部材２３にそれぞれ取り付けた後、取付部材２１の両抜け止め片２１１ｃ，２１１ｃを下側（カバー部材２３側）に折り曲げると、光源ユニット２の組み立てが完了する。
【００４４】
続けて、照明器具Ａの施工手順について説明する。なお、以下の説明では、端子台が予め器具本体１に取り付けられているものとして説明する。まず最初に、作業者は、天井裏に先行配線された電源線（図示せず）を器具本体１の孔１１１ａに通し、さらに室内側に露出する吊ボルト２００を孔１１１ｂに通した後、吊ボルト２００にナット３００をねじ込んで器具本体１を天井材１００に固定する。
【００４５】
その後、作業者は、上記電源線の端部を上記端子台に接続し、さらに上記端子台と電源装置２４の間を電線により接続する。そして最後に、作業者は、電源装置２４が器具本体１の凹部１１内に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される（図４及び図５参照）。
【００４６】
カバー部材２３を取付部材２１に取り付けた状態では、一対の第１かしめ片２１２ｂと第１側面部２１２の間で第１脚部２３３が挟持され且つ一対の第２かしめ片２１３ｂと第２側面部２１３の間で第２脚部２３４が挟持されるので、カバー部材２３の長手方向への移動を規制することができる。しかも、第１かしめ片２１２ｂを第１脚部２３３側に、第２かしめ片２１３ｂを第２脚部２３４側にそれぞれ折り曲げるだけでいいので、作業時間の増加を抑えつつカバー部材２３を取付部材２１に容易に取り付けることができる。
【００４７】
また、エンドキャップ２５をカバー部材２３に取り付ける際には、カバー部材２３の長手方向からエンドキャップ２５を組み付けるだけでよく、作業時間の増加を抑えつつエンドキャップ２５をカバー部材２３に容易に取り付けることができる。さらに、エンドキャップ２５がカバー部材２３から外れる方向へ移動した際には抜け止め片２１１ｃに当接するので、エンドキャップ２５がカバー部材２３から外れにくい光源ユニット２を提供することができる。
【００４８】
また、本実施形態のように、光源ユニット２を組み立てた状態において抜け止め片２１１ｃを段差部２５４に配置した場合には、抜け止め片２１１ｃと段差部２５４の間の隙間によってカバー部材２３の熱膨張による寸法増加分を吸収することができる。さらに、本実施形態の光源ユニット２を用いることによって、作業時間の増加を抑えつつカバー部材２３及びエンドキャップ２５を容易に取付可能な照明器具Ａを提供することができる。
【符号の説明】
【００４９】
２１  取付部材
２３  カバー部材
２１１  底面部
２１２  第１側面部
２１２ｂ  第１かしめ片
２１３  第２側面部
２１３ｂ  第２かしめ片
２３３  第１脚部
２３４  第２脚部
【図１】
2014179207.tif 000003
【図２】
2014179207.tif 000004
【図３】
2014179207.tif 000005
【図４】
2014179207.tif 000006
【図５】
2014179207.tif 000007